(57)【要約】【課題】プリントジョブ指令にもとづいてデータを配信する場合に、相手先に応じて、または受信データの種別に応じて送信するデータ形式を決定できるファクシミリ装置を提供する。【解決手段】プリントジョブ指令を含んだ制御データと、プリントデータとで構成されたプリントジョブデータを受信し、そのプリントジョブデータをもとにイメージデータを生成して印字出力するファクシミリ装置Ｆであって、制御データは、プリントデータのデータ種別とファクシミリ送信先の電話番号データとを含んでおり、プリントデータをもとに、データ種別ごとのデータ生成処理を実行して送信データを生成し、ファクシミリ送信先に配信するようにした配信制御手段１を備えている。【選択図】図１
2005277892.tif 000002
【特許請求の範囲】
【請求項１】
プリントジョブ指令を含んだ制御データと、プリントデータとで構成されたプリントジョブデータを受信し、そのプリントジョブデータをもとにイメージデータを生成して印字出力するファクシミリ装置であって、
上記制御データは、上記プリントデータのデータ種別とファクシミリ送信先の電話番号データとを含んでおり、
上記プリントデータをもとに、上記データ種別ごとのデータ生成処理を実行して送信データを生成し、上記ファクシミリ送信先に配信するようにした配信制御手段を備えているファクシミリ装置。
【請求項２】
請求項１において、
上記データ種別は、ＰＤＬデータとＧＤＩデータとを区分するデータであり、
相手先番号ごとのＰＤＬデータ対応可否を登録した受信可能データ情報を保存した記憶部をさらに備え、
上記配信制御手段は、
上記データ種別がＧＤＩとなっているときは、上記プリントデータに対して、ファクシミリ符号化処理を実行して送信データを生成する一方、
上記データ種別がＰＤＬとなっているときは、上記受信可能データ情報から、上記制御データで指定された配信先の受信可能データ形式を判別し、相手先装置がＰＤＬデータ受信可能と判断した場合は、上記プリントデータを変換せずにそのまま送信データとし、受信不可能と判断した場合は、上記プリントデータをラスタライズ変換し、ファクシミリ符号化処理を実行して送信データを生成することを特徴とするファクシミリ装置。
【請求項３】
請求項２において、
上記受信可能データ情報は、複数種のＰＤＬデータごとに定義されていることを特徴とするファクシミリ装置。
【発明の詳細な説明】
【技術分野】
【０００１】
本発明は、パソコンなどから送られてくるプリントデータを印字出力するとともに、他のファクシミリ装置にデータを配信するファクシミリ装置に関するものである。
【背景技術】
【０００２】
近年、本来のファクシミリ機能のほか、通信回線を通じて受信したプリントデータをイメージデータに変換して印字出力するプリント機能を備えたファクシミリ装置が実用化されている。
送信されてくるプリントジョブデータは、プリントジョブ指令を含んだ制御データとプリントデータとを含んでおり、プリントデータは、ＰＤＬ（ページ記述言語）で記載されたＰＤＬデータや、ＧＤＩ（グラフィック・デバイス・インターフェース）により生成されたＧＤＩデータなどのデータで構成されている。プリントデータがＰＤＬデータの場合は、そのデータをラスタライズしたのち印字出力し、ＧＤＩデータの場合はそのまま印字出力するようにしている。
ところで、ファクシミリ装置はファクシミリ送信機能を備えているため、印字可能となったイメージデータをさらに他のファクシミリ装置に対して転送して、その転送先の装置で印字出力させることが可能である。
【発明の開示】
【発明が解決しようとする課題】
【０００３】
このようなデータ配信を行うには、相手先の電話番号を指定する手段が必要である。また、配信先のファクシミリ装置には、ＰＤＬデータに対応可能なものもあるため、そのような装置に配信すると場合には、データ種別がＰＤＬデータであれば、イメージデータを送信するより、受信データをそのままのかたちで送信するほうが送信データ量は少なく、通信効率の観点からは好ましい。そのような通信効率を考慮すれば、相手先ごとに送信するデータを異ならせる必要がある。
すなわち、ファクシミリ装置がプリントジョブ指令を受けて他の装置へデータを配信する場合、相手先に応じて、またはデータの種別に応じてデータ形式を変えて送信することが好ましい。
【０００４】
本発明は、このような事情を考慮して提案されたもので、その目的は、プリントジョブ指令にもとづいてデータを配信する場合に、相手先に応じて、または受信データの種別に応じて送信するデータ形式を決定できるファクシミリ装置を提供することにある。
【課題を解決するための手段】
【０００５】
上記目的を達成するため、請求項１に記載のファクシミリ装置は、プリントジョブ指令を含んだ制御データと、プリントデータとで構成されたプリントジョブデータを受信し、そのプリントジョブデータをもとにイメージデータを生成して印字出力するファクシミリ装置であって、制御データは、プリントデータのデータ種別とファクシミリ送信先の電話番号データとを含んでおり、プリントデータをもとに、データ種別ごとのデータ生成処理を実行して送信データを生成し、ファクシミリ送信先に配信するようにした配信制御手段を備えている。
【０００６】
請求項２では、請求項１において、データ種別はＰＤＬデータとＧＤＩデータとを区分するデータであり、相手先番号ごとのＰＤＬデータ対応可否を登録した受信可能データ情報を保存した記憶部をさらに備えている。そして、配信制御手段は、データ種別がＧＤＩとなっているときは、プリントデータに対して、ファクシミリ符号化処理を実行して送信データを生成する一方、データ種別がＰＤＬとなっているときは、受信可能データ情報から、制御データで指定された配信先の受信可能データ形式を判別し、相手先装置がＰＤＬデータ受信可能と判断した場合は、プリントデータを変換せずにそのまま送信データとし、受信不可能と判断した場合は、上記プリントデータをラスタライズ変換し、ファクシミリ符号化処理を実行して送信データを生成する。
【０００７】
請求項３では、請求項２において、受信可能データ情報は、複数種のＰＤＬデータごとに定義されていることを特徴とする。
【発明の効果】
【０００８】
請求項１に記載のファクシミリ装置は、送信されてくる制御データによって、プリントデータのデータ種別とファクシミリ送信先の電話番号とが指定されているので、受信したプリントデータの種別に応じて生成したデータを指定された相手先にファクシミリ送信することができる。
【０００９】
請求項２では、ファクシミリ装置が記憶部に、相手先番号ごとのＰＤＬデータ受信可否を登録した受信可能データ情報を保存しているので、受信したプリントデータがＰＤＬデータの場合は、相手先に応じて、ＰＤＬデータまたはイメージデータのいずれかのかたちで送信することができる。また、ＰＤＬデータとＧＤＩデータとを判別しているので、それぞれ個別の送信データを生成することができる。
これらにより、ＰＤＬデータに対応可能な装置に配信する場合には、ＰＤＬデータをそのまま送信することができるため、送信データ量が少なくてすみ、通信効率を向上させることができる。また、イメージデータへの変換が不要なので、自装置の処理効率も向上する。
【００１０】
請求項３では、受信可能データ情報が複数種のＰＤＬデータごとに定義されているので、対応可能なＰＤＬデータのみ送信することができる。
【発明を実施するための最良の形態】
【００１１】
以下に、本発明の実施形態について、図面を参照しながら説明する。なお、ファクシミリ装置は複合機でも専用機でもよい。
【実施例１】
【００１２】
図１は、本発明のファクシミリ装置の内部構成を示すブロック図である。
図において、１はＣＰＵ等で構成された主制御部であり、後述の配信制御手段として動作するなど、以下の各部の制御を行う。また、２は通信回線Ｌへのネットワーク制御を行うＮＣＵ、３は画像データファクシミリ通信するために信号の変調・復調を行うモデム、４は画像データを記憶する画像メモリ、５は可変データや設定データなどを記憶するＲＡＭ、６は制御プログラムなどを記憶しているＲＯＭ、７は液晶画面等で構成された表示部、８はタッチパネル等で構成された操作部、９は原稿画像を読み取る読取部、１０は受信した原稿の画像データを記録紙に出力させる記録部、１１はパソコンなどの通信装置ＰからＬＡＮ等のネットワークを介して、プリントジョブ用のデータを受信できるようにしたＰＣインターフェースである。
【００１３】
このファクシミリ装置Ｆは、読取部９で読み取った画像データを順次符号化したのち、いったん画像メモリ４に蓄積し、モデム３、ＮＣＵ２を介して、相手先のファクシミリ装置（不図示）に対して送信する一方、画像データを受信すると、受信した画像データを画像メモリ４に蓄積し、順次読み出し復号して、印字出力部１０によって印字出力するファクシミリ送受信基本機能を備えている。
また、ファクシミリ装置Ｆは、ファクシミリ送受信機能のほか、パソコンＰから伝送されてきたプリントジョブデータをもとにイメージデータを生成して、記録部１０で印字出力するプリンタ機能と、プリントジョブデータをもとに送信データを生成して、指定されたファクシミリ装置に配信する配信機能をさらに備えている。
上記ＲＡＭ５には、この配信機能を相手先の能力に応じて実行するために、相手先がＰＤＬデータを受信することが可能かどうかを、相手先の電話番号に対応して登録した受信可能データ情報５ａを備えている。
【００１４】
まず、プリンタ機能の動作について説明する。
ファクシミリ装置Ｆは、パソコンＰからＰＣインターフェースを介して、プリントジョブ指令を含む制御データとプリントデータとで構成されたプリントジョブデータを受信すると、プリントデータを制御データで指定されたプリントサイズや解像度をもとにイメージデータ（ビットマップデータ）に変換し、記録部１０より印字出力する動作を実行する。
【００１５】
図２には、プリントジョブデータの構成例を示している。
制御データには、１つのプリントジョブに対してプリントサイズや解像度などを指定するための情報を含むヘッダデータと、プリントデータ（１ページ）ごとに挿入するページエンドデータ（最終ページはジョブエンドデータ）がある。また、プリントデータはページごとの印字情報を有したものであり、文字やグラフィックスをベクトル情報で表現したＰＤＬデータや、ＧＤＩ（グラフィック・デバイス・インターフェース）により生成されたＧＤＩデータが含まれる。
主制御部１は、受信したプリントデータがＰＤＬデータかＧＤＩデータであるかを、制御データのデータ種別で判別し、ＰＤＬデータである場合は、データをラスタライズ処理してイメージデータを生成したのち印字出力し、ＧＤＩデータの場合は、データをそのまま印字する。
【００１６】
次に、配信機能の動作について説明する。
ファクシミリ装置Ｆは、パソコンＰからプリントジョブ指令があった場合、上記のプリント動作を実行するとともに、制御データに含まれる、ファクシミリ送信先電話番号データの有無を判別して、配信先が指定されている場合には、そのデータを、モデム３、ＮＣＵ２を介して、相手先のファクシミリ装置へ送信する。
本発明では、そのような配信制御を行う際に、制御データに含まれるデータ種別に従いデータ変換を行うとともに、配信すべき送信データが相手先装置の能力に応じて異なるものとなるように、データ種別ごとのデータ生成処理を実行している。
【００１７】
図３は、本発明のファクシミリ装置Ｆの配信制御基本動作を示すフローチャートである。
主制御部１は、プリントジョブ指令があると、すなわちプリントジョブデータを受信すると、上述のごとく記録部１０で印字出力したのち、制御データ内にファクシミリ送信先電話番号が指定されているかどうかを判断する（１０１〜１０３）。
指定がない場合は処理を終了し、指定があれば、制御データに含まれるデータ種別を参照して、種別がＧＤＩデータである場合にはプリントデータをファクシミリ符号化して送信データを生成し送信する。また、種別がＰＤＬデータである場合には、配信すべき相手先の受信可能データ情報５ａを参照して、ＰＤＬデータ受信可能となっていればＰＤＬデータをそのまま送信データとしてファイル転送し、ＰＤＬデータ受信不可となっているか、または情報が登録されていなければ、ＰＤＬデータをラスタライズ変換したのちファクシミリ符号化して送信データを生成し送信する（１０３〜１０８）。
【００１８】
以上のように、本発明装置Ｆは、送信されてくる制御データによって、プリントデータのデータ種別とファクシミリ送信先の電話番号とが指定されているので、受信データの種別に応じて生成したデータを指定された相手先に送信することができ、また、相手先番号ごとのＰＤＬデータ受信可否を登録した受信可能データ情報を保存しているので、受信したプリントデータがＰＤＬデータの場合は、相手先に応じて、ＰＤＬデータまたはイメージデータのいずれかのかたちでファクシミリ送信することができる。
その結果、ＰＤＬデータに対応可能な装置に配信する場合には、ＰＤＬデータをそのまま送信することができるため、送信データ量が少なく、通信効率を向上させることができると同時に、イメージデータへの変換が不要なので、自装置の処理効率も向上する。
【００１９】
以上に説明した本実施例では、受信可能データ情報５ａは相手先に対応したＰＤＬデータ対応可否を定義しているが、複数種あるＰＤＬデータに対応させるために、さらに各種のＰＤＬデータ種別ごとに対応可否を定義するようにしてもよい。
【図面の簡単な説明】
【００２０】
【図１】本発明のファクシミリ装置の内部構成の一例を示すブロック図である。
【図２】プリントジョブデータの構成例を示す図である。
【図３】本発明のファクシミリ装置の配信制御基本動作の一例を示すフローチャートである。
【符号の説明】
【００２１】
Ｆ      ファクシミリ装置
１      主制御部（配信制御手段）
５      ＲＡＭ
５ａ      受信可能データ情報
１０      記録部
１１      ＰＣインターフェース
【図１】
2005277892.tif 000003
【図２】
2005277892.tif 000004
【図３】
2005277892.tif 000005